(57)【要約】【課題】個人認証に応じて画像出力ジョブの実行過程を適切に行うことである。【解決手段】画像形成装置としてのＭＦＰ１００が、画像出力ジョブに基づいてプリントを行うプリント手段２１と、個人識別情報として指紋データを取得する識別情報取得手段としての指紋センサ１６と、画像出力ジョブをプリント手段２１に実行させ、その画像出力ジョブの実行中に、指紋センサ１６により取得された指紋データに基づいて個人認証し、当該個人認証の結果に基づいて、前記画像出力ジョブの実行継続又は中断を判別し、その判別結果に基づいて当該画像出力ジョブをプリント手段２１に実行継続又は中断させる制御手段１１１と、を備える。【選択図】図１
2005342939.tif 000002
【特許請求の範囲】
【請求項１】
情報を表示する表示手段と、
操作入力を受け付ける操作手段と、
画像出力ジョブに基づいて記録媒体に画像形成して記録するプリント手段と、
ユーザの個人識別情報を取得する識別情報取得手段と、
前記識別情報取得手段により取得された個人識別情報に基づいて個人認証し、当該個人認証の結果と、当該認証された個人の情報と、当該認証された個人に宛てた親展プリントジョブの有無とに応じて、予め登録されている複数の操作画面から１つの操作画面を選択して前記表示手段に表示させる制御手段と、を備えることを特徴とする画像形成装置。
【請求項２】
前記制御手段は、前記個人に宛てた親展プリントジョブがある場合に、当該親展プリントジョブがある旨の表示と、当該親展プリント実行のための親展プリント制御画面へのショートカットボタンと、のうちの少なくとも１つを前記表示手段に表示させることを特徴とする請求項１に記載の画像形成装置。
【請求項３】
前記識別情報取得手段は、ユーザの指の指紋を読み取り指紋データを取得し、
前記制御手段は、前記識別情報取得手段により取得された指紋データに基づいて個人認証することを特徴とする請求項１又は２に記載の画像形成装置。
【請求項４】
前記制御手段は、前記識別情報取得手段により取得された指紋データに基づいて個人及び当該個人の入力指を認証し、当該入力指の情報に基づいて、予め登録されている複数の操作画面から１つの選択画面を選択して前記表示手段に表示させることを特徴とする請求項３に記載の画像形成装置。
【請求項５】
前記制御手段は、前記個人認証が失敗した場合に、前記親展プリントジョブを前記プリント手段に実行制限させることを特徴とする請求項１から４のいずれか一項に記載の画像形成装置。
【請求項６】
情報入力を受け付ける操作手段を備え、
前記制御手段は、前記操作手段を介して、前記個人認証が失敗した場合に前記親展プリントジョブを前記プリント手段に実行制限させるか否かの選択入力を受け付けて、その選択入力に応じて前記親展プリントジョブを前記プリント手段に実行又は実行制限させることを特徴とする請求項１から５のいずれか一項に記載の画像形成装置。
【請求項７】
画像出力ジョブに基づいて記録媒体に画像形成して記録するプリント手段と、
ユーザの個人識別情報を取得する識別情報取得手段と、
画像出力ジョブを前記プリント手段に実行させ、その画像出力ジョブの実行中に、前記識別情報取得手段により取得された個人識別情報に基づいて個人認証し、当該個人認証の結果に基づいて、前記画像出力ジョブの実行継続又は中断を判別し、その判別結果に基づいて当該画像出力ジョブを前記プリント手段に実行継続又は中断させる制御手段と、を備えることを特徴とする画像形成装置。
【請求項８】
前記制御手段は、画像出力ジョブを前記プリント手段に実行開始させる前に、前記識別情報取得手段により取得された個人識別情報に基づいて個人認証し、当該個人認証の結果に基づいて、前記画像出力ジョブの実行開始又は中止を判別し、その判別結果に基づいて当該画像出力ジョブを前記プリント手段に実行開始又は中止させることを特徴とする請求項７に記載の画像形成装置。
【請求項９】
前記制御手段は、前記画像出力ジョブとしての親展プリントジョブを前記プリント手段に実行させ、当該親展プリントジョブの実行中に、前記個人認証を繰り返し行い、その個人認証が失敗した場合に、当該親展プリントジョブを前記プリント手段に実行中断させることを特徴とする請求項７に記載の画像形成装置。
【請求項１０】
前記制御手段は、前記親展プリントジョブを前記プリント手段に実行開始させる前に、前記識別情報取得手段により取得された個人識別情報に基づいて個人認証し、当該個人認証が成功した場合に、当該親展プリントジョブを前記プリント手段に実行開始させることを特徴とする請求項９に記載の画像形成装置。
【請求項１１】
前記制御手段は、前記親展プリントジョブの実行開始時の個人認証に比べて、前記親展プリントジョブを前記プリント手段に繰り返し実行させている間の個人認証を成功し易くさせることを特徴とする請求項１０に記載の画像形成装置。
【請求項１２】
前記制御手段は、親展プリントジョブのセキュリティを少なくとも２段階に設定し、親展プリントジョブに設定されたセキュリティが高い場合に、当該親展プリントジョブ実行中の個人認証を繰り返し行い、親展プリントジョブに設定されたセキュリティが低い場合に、当該親展プリントジョブ実行中の個人認証を繰り返し行わないことを特徴とする請求項９から１１のいずれか一項に記載の画像形成装置。
【請求項１３】
情報入力を受け付ける操作手段を備え、
前記制御手段は、前記操作手段を介して、親展プリントジョブ実行中の個人認証を繰り返し行うか否かの入力を受け付けて、その入力に応じて当該親展プリントジョブ実行中の個人認証を繰り返し行う又は行わないことを特徴とする請求項９から１１のいずれか一項に記載の画像形成装置。
【請求項１４】
情報入力を受け付ける操作手段と、
情報を記憶する記憶手段と、を備え、
前記制御手段は、前記画像出力ジョブを実行中断する場合に、当該画像出力ジョブをその中断状態情報とともに前記記憶手段に記憶させ、その画像入力ジョブ実行を再開する場合に、前記操作手段を介して、前記中断状態情報に基づいて前記記憶された親展プリントジョブの実行を中断状態の続きから再開するか又は最初から再開するかの入力を受け付け、その入力に基づいて前記記憶された親展プリントジョブの実行を再開することを特徴とすることを特徴とする請求項７から１３のいずれか一項に記載の画像形成装置。
【請求項１５】
前記識別情報取得手段は、ユーザの指の指紋を読み取り指紋データを取得し、
前記制御手段は、前記識別情報取得手段により取得された指紋データに基づいて個人認証することを特徴とする請求項７から１４のいずれか一項に記載の画像形成装置。
【発明の詳細な説明】
【技術分野】
【０００１】
本発明は、個人認証を行う画像形成装置に関する。
【背景技術】
【０００２】
従来、セキュリティ保護のため、ユーザ情報が記録されたＩＣカードを用いるユーザ情報の入力や、ユーザのパスワード入力などにより個人認証する、ユーザの個人認証技術が実施されている。また、個人認証の構成を画像形成装置に応用したものが考えられている。例えば、個人を認証し、その認証情報に基づいて、操作画面を切り替える画像形成装置が考えられている（例えば、特許文献１参照）。
【０００３】
また、例えば、個人を認証し、その認証情報に基づいて蓄積ジョブをフィルタリングし、そのフィルタリングされたジョブを認証された個人へのサービスとして一覧表示する画像形成装置が考えられている（例えば、特許文献２参照）。
【特許文献１】特開２００４−１３６８２号公報
【特許文献２】特開２００１−２４３６９９号公報
【発明の開示】
【発明が解決しようとする課題】
【０００４】
しかし、従来の認証情報に応じた操作画面切り替え機能を有する画像形成システムは、機械の状態に応じて操作画面が切り替わる構成になっていなかった。例えば、認証した個人の親展プリントジョブを蓄積した状態に応じた操作画面を表示できず、その親展プリントジョブを実行させる場合に、通常の操作画面を操作入力で切り替えて親展プリントジョブの有無を確認してから実行させるため、操作が煩雑になるおそれがあった。
【０００５】
また、従来の蓄積ジョブをフィルタリングして一覧表示する画像形成装置は、個人認証後、直ちにジョブ一覧画面になるので、違うジョブを先に行いたい場合に不便となるおそれがあった。
【０００６】
さらに、認証された個人に宛てた親展プリントジョブに対し、認証された個人が画像形成装置の前を離れた場合に、第三者に印刷物を見られたり盗まれたりするおそれがあり、セキュリティ保護が不完全となるおそれがあった。
【０００７】
本発明の課題は、個人認証に応じて画像出力ジョブの実行過程を適切に行うことである。より具体的には、認証した個人に宛てた親展プリントジョブの有無に対応する適切な操作画面を表示させることである。また、画像出力ジョブ実行中のセキュリティ保護を高めることである。
【課題を解決するための手段】
【０００８】
上記課題を解決するため、請求項１に記載の発明は、
情報を表示する表示手段と、
操作入力を受け付ける操作手段と、
画像出力ジョブに基づいて記録媒体に画像形成して記録するプリント手段と、
ユーザの個人識別情報を取得する識別情報取得手段と、
前記識別情報取得手段により取得された個人識別情報に基づいて個人認証し、当該個人認証の結果と、当該認証された個人の情報と、当該認証された個人に宛てた親展プリントジョブの有無とに応じて、予め登録されている複数の操作画面から１つの操作画面を選択して前記表示手段に表示させる制御手段と、を備えることを特徴とする画像形成装置である。
【０００９】
請求項２に記載の発明は、請求項１に記載の画像形成装置において、
前記制御手段は、前記個人に宛てた親展プリントジョブがある場合に、当該親展プリントジョブがある旨の表示と、当該親展プリント実行のための親展プリント制御画面へのショートカットボタンと、のうちの少なくとも１つを前記表示手段に表示させることを特徴とする。
【００１０】
請求項３に記載の発明は、請求項１又は２に記載の画像形成装置において、
前記識別情報取得手段は、ユーザの指の指紋を読み取り指紋データを取得し、
前記制御手段は、前記識別情報取得手段により取得された指紋データに基づいて個人認証することを特徴とする。
【００１１】
請求項４に記載の発明は、請求項３に記載の画像形成装置において、
前記制御手段は、前記識別情報取得手段により取得された指紋データに基づいて個人及び当該個人の入力指を認証し、当該入力指の情報に基づいて、予め登録されている複数の操作画面から１つの選択画面を選択して前記表示手段に表示させることを特徴とする。
【００１２】
請求項５に記載の発明は、請求項１から４のいずれか一項に記載の画像形成装置において、
前記制御手段は、前記個人認証が失敗した場合に、前記親展プリントジョブを前記プリント手段に実行制限させることを特徴とする。
【００１３】
請求項６に記載の発明は、請求項１から５のいずれか一項に記載の画像形成装置において、
情報入力を受け付ける操作手段を備え、
前記制御手段は、前記操作手段を介して、前記個人認証が失敗した場合に前記親展プリントジョブを前記プリント手段に実行制限させるか否かの選択入力を受け付けて、その選択入力に応じて前記親展プリントジョブを前記プリント手段に実行又は実行制限させることを特徴とする。
【００１４】
請求項７に記載の発明は、
画像出力ジョブに基づいて記録媒体に画像形成して記録するプリント手段と、
ユーザの個人識別情報を取得する識別情報取得手段と、
画像出力ジョブを前記プリント手段に実行させ、その画像出力ジョブの実行中に、前記識別情報取得手段により取得された個人識別情報に基づいて個人認証し、当該個人認証の結果に基づいて、前記画像出力ジョブの実行継続又は中断を判別し、その判別結果に基づいて当該画像出力ジョブを前記プリント手段に実行継続又は中断させる制御手段と、を備えることを特徴とする画像形成装置である。
【００１５】
請求項８に記載の発明は、請求項７に記載の画像形成装置において、
前記制御手段は、画像出力ジョブを前記プリント手段に実行開始させる前に、前記識別情報取得手段により取得された個人識別情報に基づいて個人認証し、当該個人認証の結果に基づいて、前記画像出力ジョブの実行開始又は中止を判別し、その判別結果に基づいて当該画像出力ジョブを前記プリント手段に実行開始又は中止させることを特徴とする。
【００１６】
請求項９に記載の発明は、請求項７に記載の画像形成装置において、
前記制御手段は、前記画像出力ジョブとしての親展プリントジョブを前記プリント手段に実行させ、当該親展プリントジョブの実行中に、前記個人認証を繰り返し行い、その個人認証が失敗した場合に、当該親展プリントジョブを前記プリント手段に実行中断させることを特徴とする。
【００１７】
請求項１０に記載の発明は、請求項９に記載の画像形成装置において、
前記制御手段は、前記親展プリントジョブを前記プリント手段に実行開始させる前に、前記識別情報取得手段により取得された個人識別情報に基づいて個人認証し、当該個人認証が成功した場合に、当該親展プリントジョブを前記プリント手段に実行開始させることを特徴とする。
【００１８】
請求項１１に記載の発明は、請求項１０に記載の画像形成装置において、
前記制御手段は、前記親展プリントジョブの実行開始時の個人認証に比べて、前記親展プリントジョブを前記プリント手段に繰り返し実行させている間の個人認証を成功し易くさせることを特徴とする。
【００１９】
請求項１２に記載の発明は、請求項９から１１のいずれか一項に記載の画像形成装置において、
前記制御手段は、親展プリントジョブのセキュリティを少なくとも２段階に設定し、親展プリントジョブに設定されたセキュリティが高い場合に、当該親展プリントジョブ実行中の個人認証を繰り返し行い、親展プリントジョブに設定されたセキュリティが低い場合に、当該親展プリントジョブ実行中の個人認証を繰り返し行わないことを特徴とする。
【００２０】
請求項１３に記載の発明は、請求項９から１１のいずれか一項に記載の画像形成装置において、
情報入力を受け付ける操作手段を備え、
前記制御手段は、前記操作手段を介して、親展プリントジョブ実行中の個人認証を繰り返し行うか否かの入力を受け付けて、その入力に応じて当該親展プリントジョブ実行中の個人認証を繰り返し行う又は行わないことを特徴とする。
【００２１】
請求項１４に記載の発明は、請求項７から１３のいずれか一項に記載の画像形成装置において、
情報入力を受け付ける操作手段と、
情報を記憶する記憶手段と、を備え、
前記制御手段は、前記画像出力ジョブを実行中断する場合に、当該画像出力ジョブをその中断状態情報とともに前記記憶手段に記憶させ、その画像入力ジョブ実行を再開する場合に、前記操作手段を介して、前記中断状態情報に基づいて前記記憶された親展プリントジョブの実行を中断状態の続きから再開するか又は最初から再開するかの入力を受け付け、その入力に基づいて前記記憶された親展プリントジョブの実行を再開することを特徴とすることを特徴とする。
【００２２】
請求項１５に記載の発明は、請求項７から１４のいずれか一項に記載の画像形成装置において、
前記識別情報取得手段は、ユーザの指の指紋を読み取り指紋データを取得し、
前記制御手段は、前記識別情報取得手段により取得された指紋データに基づいて個人認証することを特徴とする。
【発明の効果】
【００２３】
請求項１に記載の発明によれば、個人識別情報に基づいて個人認証し、個人認証の結果と、認証された個人の情報と、認証された個人に宛てた親展プリントジョブの有無とに応じて、適切な操作画面を選択して表示させるので、その操作画面により操作性を高めて親展プリントジョブ及びその他の画像出力ジョブを容易に実行できる。
【００２４】
請求項２に記載の発明によれば、親展プリントジョブがある場合に、親展プリントジョブがある旨の表示と、親展プリント制御画面へのショートカットボタンとのうちの少なくとも１つを表示するので、操作性を高めて親展プリントジョブを容易に実行できる。
【００２５】
請求項３に記載の発明によれば、指紋データに基づいて個人認証するので、容易かつ安全に個人認証を行うことができるとともに、操作性を高めることができる。
【００２６】
請求項４に記載の発明によれば、指紋データに基づいて個人及びその入力指を認証し、認証された入力指の情報に基づいて、複数の操作画面から適切な１つの選択画面を選択して表示するので、各入力指に対応する操作画面により、さらに操作性を高めることができる。
【００２７】
請求項５に記載の発明によれば、個人認証が失敗した場合に、親展プリントジョブを実行制限するので、親展プリントのセキュリティを高めることができる。
【００２８】
請求項６に記載の発明によれば、個人認証が失敗した場合に親展プリントジョブを実行制限させるか否かを選択でき、その選択に応じて親展プリントジョブを実行又は実行中止させるので、親展プリントのセキュリティを確保しつつ、操作性を高めることができる。
【００２９】
請求項７に記載の発明によれば、画像出力ジョブの実行中に、個人識別情報に基づいて個人認証し、当該個人認証の結果に応じて、前記画像出力ジョブの実行継続又は中断を判別し、その判別結果に基づいて当該画像出力ジョブを実行継続又は中断させるので、画像出力ジョブ実行中の画像出力のセキュリティを高めることができる。
【００３０】
請求項８に記載の発明によれば、画像出力ジョブを実行開始させる前に、個人識別情報に基づいて個人認証し、個人認証の結果に基づいて、画像出力ジョブ実行開始又は中止を判別し、その判別結果に基づいて当該画像出力ジョブを実行開始又は中止させるので、画像出力ジョブ実行開始及び実行中の画像出力のセキュリティを高めることができる。
【００３１】
請求項９に記載の発明によれば、親展プリントジョブの実行中に個人認証を繰り返し行い、その個人認証が失敗した場合に、親展プリントジョブを実行中断させるので、親展プリントジョブ実行中の親展プリントのセキュリティを高めることができる。例えば、認証された個人が画像形成装置の前を離れた場合に、第三者に全ての親展プリント物を見られたり盗まれたりすることを防ぐことができる。
【００３２】
請求項１０に記載の発明によれば、親展プリントジョブを実行開始させる前に、個人識別情報に基づいて個人認証し、個人認証が成功した場合に、親展プリントジョブを実行開始させるので、親展プリントジョブ実行開始及び実行中の親展プリントのセキュリティを高めることができる。
【００３３】
請求項１１に記載の発明によれば、親展プリントジョブの実行開始時の個人認証に比べて、親展プリントジョブを繰り返し実行させている間の個人認証を成功し易くさせるので、操作者が親展プリントジョブの実行中の個人識別情報の入力を容易に行うことができ、個人認証の失敗の多発を防ぐことができる。
【００３４】
請求項１２に記載の発明によれば、親展プリントジョブのセキュリティ設定の度合いに応じて認証頻度を変更できるので、親展プリントのセキュリティを確保できるとともに操作性を高めることができる。
【００３５】
請求項１３に記載の発明によれば、親展プリントジョブ実行中の個人認証を繰り返し行うか否かを選択できるので、親展プリントのセキュリティを高めるか、操作性を高めるかを選択して設定できる。
【００３６】
請求項１４に記載の発明によれば、画像出力ジョブを実行中断する場合に、当該画像出力ジョブをその中断状態情報とともに記憶させ、その画像入力ジョブ実行を再開する場合に、中断状態の続きから画像出力ジョブの実行を再開するか又は最初から再開するかを選択できるので、画像出力ジョブの実行再開時の操作性を高めるとともに、無駄なプリント操作を防ぐことができる。
【００３７】
請求項１５に記載の発明によれば、指紋データに基づいて個人認証するので、容易かつ安全に個人認証を行うことができるとともに、操作性を高めることができる。
【発明を実施するための最良の形態】
【００３８】
以下、添付図を参照して本発明に係る実施の形態を詳細に説明する。ただし、発明の範囲は、図示例に限定されない。
【００３９】
先ず、図１を参照して、本実施の形態の装置構成を説明する。図１に、本実施の形態のＭＦＰ（Multi Function Printer:多機能プリンタ）１００の構成を示す。
【００４０】
図１に示すように、本実施の形態の画像形成装置としてのＭＦＰ１００は、個人認証に基づいて親展プリントジョブに対応する操作画面を表示する機能と、親展プリントジョブ実行中に個人認証を行い、その個人認証の失敗に応じて親展プリントジョブ実行を中断する構成とする。ＭＦＰ１００は、通信ネットワークＮを介して、操作者の操作指示などにより、プリントジョブをＭＦＰ１００に投入するＰＣ２００と接続されている。本実施の形態では、画像形成装置として、ＭＦＰを用いる構成とするが、これに限定されるものではなく、プリンタ、複写機など、少なくとも記録用紙などの記録媒体に画像形成する機能を有する機器を用いる構成としてもよい。
【００４１】
また、本実施の形態では、外部機器としてＰＣ２００を示すが、これに限定されるものではなく、プリントジョブを通信ネットワークＮを介してＭＦＰ１００に投入する他の装置としてもよい。
【００４２】
通信ネットワークＮは、例えば、ＬＡＮ（Local Area Network）であるが、ＷＡＮ（Wide Area Network）としてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００４３】
ＭＦＰ１００は、ＣＰＵ（Central Processing Unit）１１と、操作手段１２と、ＲＡＭ（Random Access Memory）１３と、表示手段１４と、ＨＤＤ（Hard Disk Drive）１５と、指紋センサ１６と、ローカルメモリ１７と、画像メモリ１８と、通信手段１９と、スキャナ手段２０と、プリント手段２１と、計時手段２２と、を備えて構成され、各部がバス２３に接続される。
【００４４】
ＣＰＵ１１は、ＭＦＰ１００内の各部を中央制御する。ＣＰＵ１１は、ローカルメモリ１７又はＨＤＤ１５に格納されているシステムプログラム及び各種アプリケーションプログラムの中から指定されたプログラムをＲＡＭ１３に展開し、ＲＡＭ１３に展開されたプログラムとの協働で、各種処理を実行する。この各種処理の実行主体を、制御手段１１１とする。
【００４５】
制御手段１１１は、ソフトウェアにより実現するものとして説明するが、これに限定されるものではなく、回路などのハードウェアとして実現される構成としてもよい。
【００４６】
操作手段１２は、入力キーなどを備え、ユーザから操作入力された情報を入力信号として受け付け、その入力信号をＣＰＵ１１に出力する。ＲＡＭ１３は、プログラム、入力データ及び処理結果などを格納するワークエリアを有し、情報を一時的に格納する。表示手段１４は、ＬＣＤ（Liquid Crystal Display）などにより構成され、ＣＰＵ１１からの表示信号に基づいて各種情報を表示し、特に、各種操作画面を表示する。また、表示手段１４は、操作手段１２と一体にして、タッチパネルを構成することとしてもよい。
【００４７】
ＨＤＤ１５は、画像データなどの各種データ及び各種プログラムが、読み込み及び書き込みを可能に記憶される。ローカルメモリ１７は、ＭＦＰ１００において使用するデータを記憶するメモリであり、フラッシュメモリなどの読み込み及び書き込み可能にデータを記憶するメモリや、書き換え不要なデータを記憶するＲＯＭ（Read Only Memory）などにより構成される。画像メモリ１８は、画像データを一時的に格納するメモリである。
【００４８】
指紋センサ１６は、ユーザの指の指紋を読み取り、その指紋を識別する指紋データを生成してＣＰＵ１１に出力する。本実施の形態では、指を置いたまま指紋データを読み取るものとするが、指をスライドさせて読み取るスイープ式のものなどとしてもよい。通信手段１９は、ＮＩＣ（Network Interface Card）などにより構成され、通信ネットワークＮを介してＰＣ２００などの外部機器と各種データを送受信する。
【００４９】
スキャナ手段２０は、原稿に記録された画像を読み取り、その画像の画像データを生成する。スキャナ手段２０は、ＣＣＤ（Charge Coupled Device）などの画像読み取り手段と、当該画像読み取り手段を移動させる走査手段と、当該画像読み取り手段により読み取られた信号に各種変換・処理を施す画像処理手段とを有する。プリント手段２１は、インクジェット式、レーザ式、熱転写式、ドットインパクト式などのプリンタであり、ＣＰＵ１１から入力される画像データに基づいて、記録用紙などの記録媒体上に画像を形成して記録する。
【００５０】
計時手段２２は、ＣＰＵ１１の指示情報に基づいて、タイマをスタート、リセット及びカウントするタイマ機能を有するものとする。
【００５１】
次に、図２〜図９を参照して、ＭＦＰ１００の動作を説明する。図２に、設定処理を示す。図３に、操作画面表示処理を示す。図４に、指紋での個人認証における類似度の分布を示す。図５に、親展プリントジョブがある場合の操作画面３０の構成を示す。図６に、入力指に対応する操作画面の構成を示し、（ａ）に操作画面４０の構成を示し、（ｂ）に操作画面５０の構成を示す。図７に、親展プリントジョブ実行処理を示す。図８に、親展プリント制御画面６０の構成を示す。図９に、親展プリントジョブ実行処理中の親展プリントジョブ実行再開処理を示す。
【００５２】
図２を参照して、ＭＦＰ１００において実行される設定処理を説明する。設定処理は、入力指に対応する操作画面のカスタマイズと、個人認証を失敗した場合に親展プリントジョブを実行可能にするか否かと、親展プリントジョブ実行中に繰り返し個人認証を実行するか否かとを設定する処理である。ＭＦＰ１００において、ユーザにより操作手段１２を介して設定処理実行指示が入力されたことをトリガとして、ＨＤＤ１５又はローカルメモリ１７から読み出されてＲＡＭ１３に格納された設定プログラムと、ＣＰＵ１１との協働により、設定処理が実行される。以下、設定処理の各ステップの処理主体を制御手段１１１とし、他の処理でも同様であるものとする。
【００５３】
先ず、ユーザの入力指の指紋が指紋センサ１６から入力されてその指紋データが取得され、この入力指の識別情報と、この入力指に対応する操作画面のカスタマイズ情報と、入力ユーザの個人情報とが操作手段１２を介して入力される（ステップＳ１０）。この入力指は、指の種類（親指、人差し指、中指、薬指及び小指）と、右手及び左手とを識別して指定可能であるとする。また、各入力指に別々の操作画面をカスタマイズ可能である。また、全ての指について操作画面をカスタマイズする必要は無い。さらに、複数の指で共通の操作画面としてもよい。
【００５４】
そして、入力指の指紋データと、その入力指の識別情報と、操作画面のカスタマイズ情報と、ユーザの個人情報とが対応付けられて設定情報が作成されて、ＨＤＤ１５に記憶される（ステップＳ１１）。
【００５５】
そして、操作手段１２を介して、各種フラグ設定を行う旨の入力がユーザに入力されたか否かにより、その各種フラグ設定を行うか否かが判別される（ステップＳ１２）。各種フラグ設定を行わない場合（ステップＳ１２；ＮＯ）、設定処理が終了される。
【００５６】
各種フラグ設定を行う場合（ステップＳ１２；ＹＥＳ）、操作手段１２を介して、個人認証を失敗した場合に親展プリントジョブを実行制限するか否かの旨と、親展プリントジョブ実行中に繰り返し個人認証を実行するか否かの旨と、がユーザにより入力される（ステップＳ１３）。
【００５７】
そして、ステップＳ１３の操作入力内容に基づいて、個人認証を失敗した場合に親展プリントジョブを実行制限するか否かが判別される（ステップＳ１４）。個人認証を失敗した場合に親展プリントジョブを実行制限する場合（ステップＳ１４；ＹＥＳ）、個人認証を失敗した場合に親展プリントジョブを実行制限することを示すジョブ実行制限フラグがオンに設定されて、ＨＤＤ１５に記憶される（ステップＳ１５）。個人認証を失敗した場合に親展プリントジョブを実行制限しない場合（ステップＳ１４；ＮＯ）、ジョブ実行制限フラグがオフに設定されて、ＨＤＤ１５に記憶される（ステップＳ１６）。
【００５８】
そして、ステップＳ１１の操作入力内容に基づいて、親展プリントジョブ実行中に繰り返し個人認証を実行するか否かが判別される（ステップＳ１７）。親展プリントジョブ実行中に繰り返し個人認証を実行する場合（ステップＳ１７；ＹＥＳ）、親展プリントジョブ実行中に繰り返し個人認証を実行することを示す繰り返し認証フラグがオンに設定されて、ＨＤＤ１５に記憶され（ステップＳ１８）、設定処理が終了される。親展プリントジョブ実行中に繰り返し個人認証を実行しない場合（ステップＳ１７；ＮＯ）、繰り返し認証フラグがオフに設定されて、ＨＤＤ１５に記憶され（ステップＳ１９）、設定処理が終了される。
【００５９】
設定処理において記憶する情報は、ＨＤＤ１５に記憶される構成としたが、これに限定されるものではなく、ローカルメモリ１７に記憶する構成などとしてもよい。また、各種フラグの設定は、管理者のみが設定可能である構成としてもよい。さらに、管理者の指紋認証成功後に、各種フラグ設定が可能である構成としてもよい。
【００６０】
次いで、図３〜図６を参照して、操作画面表示処理を説明する。操作画面表示処理は、個人認証の認証結果及び親展プリントジョブの有無に基づいて操作画面を表示する処理である。ＭＦＰ１００において、ユーザにより図示しない電源がオンされたことや、操作手段１２を介して操作画面表示指示が入力されたことなどをトリガとして、ＨＤＤ１５又はローカルメモリ１７から読み出されてＲＡＭ１３に格納された操作画面表示プログラムと、ＣＰＵ１１との協働により、操作画面表示処理が実行される。
【００６１】
先ず、ユーザの入力指の指紋が指紋センサ１６から入力されてその指紋データが取得される（ステップＳ２１）。そして、ステップＳ２１において取得された指紋データと、ＨＤＤ１５に記憶された設定情報中の指紋データ及び個人識別情報とに基づいて、第１の個人認証が行われる（ステップＳ２２）。具体的には、入力された指紋データと、設定情報中の各指紋データとの類似度が算出され、その類似度が第１の閾値以上である指紋データがある場合に、同一の指紋であるとして、対応する個人情報によりその個人が認証される。また、設定情報中の全ての指紋データについて、その類似度が第１の閾値よりも小さい場合に、個人認証が失敗する。
【００６２】
また、第１の個人認証は、操作画面表示処理中の初めての個人認証であり、第１の閾値は比較的厳しく設定される。例えば、図４に、類似度に対する、本人の指紋データ同士の照合の頻度と、本人及び他人の指紋データの照合の頻度とを示す。この場合に、第１の閾値として、本人の分布に近い類似度の閾値ａ１が設定される。
【００６３】
そして、ステップＳ２２の第１の個人認証が成功したか否かが判別される（ステップＳ２３）。第１の個人認証が失敗した場合（ステップＳ２３；ＮＯ）、ユーザからの操作手段１２を介する指紋の再度入力指示有無に基づいて、再度指紋入力するか否かが判別される（ステップＳ２４）。再度指紋入力する場合（ステップＳ２４；ＹＥＳ）、ステップＳ２１に移行される。
【００６４】
再度指紋入力しない場合（ステップＳ２４；ＮＯ）、ＨＤＤ１５に記憶されたジョブ実行制限フラグが参照され、オンされているか否かが判別される（ステップＳ２５）。ジョブ実行制限フラグがオフされている場合（ステップＳ２５；ＮＯ）、通常操作画面が表示手段１４に表示され（ステップＳ２６）、操作画面表示処理が終了される。通常操作画面からは、各種操作に加えて、親展プリントジョブの実行操作も可能である。
【００６５】
ジョブ実行制限フラグがオンされている場合（ステップＳ２５；ＹＥＳ）、親展プリントジョブが禁止された通常操作画面が表示手段１４に表示され（ステップＳ２７）、操作画面表示処理が終了される。親展プリントジョブが禁止された通常操作画面からは、親展プリントジョブの実行が禁止される。
【００６６】
第１の個人認証が成功した場合（ステップＳ２３；ＹＥＳ）、設定情報の認証された指紋データの入力指が特定される（ステップＳ２８）。そして、認証されたユーザ宛ての親展プリントジョブがあるか否かが判別される（ステップＳ２９）。親展プリントジョブは、例えば、ＰＣ２００などの外部機器から通信ネットワークＮ及び通信手段１９を介して受信されて画像メモリ１８又はＨＤＤ１５に格納されたり、スキャナ手段２０により読み込まれた原稿の画像データが親展プリント指示されて、画像メモリ１８又はＨＤＤ１５に格納されたりする場合に、親展プリントジョブがあるものとする。また、その親展プリントジョブに親展対象ユーザ情報が含まれ、その親展対象ユーザ情報が参照され、認証されたユーザと同一である場合に、そのユーザ宛ての親展プリントジョブがあるものとする。
【００６７】
親展プリントジョブがある場合（ステップＳ２９；ＹＥＳ）、ＨＤＤ１５に記憶された設定情報の操作画面カスタマイズ情報及び入力指識別情報と、ステップＳ２８において特定された入力指の情報とに基づいて、認証された入力指に対応する操作画面がカスタマイズされ、さらに親展プリントジョブがある旨のメッセージと、親展プリント制御画面表示のための親展プリントショートカットボタンが、その操作画面に付加されて、当該操作画面が表示手段１４に表示され（ステップＳ３０）、操作画面表示処理が終了される。親展プリントショートカットボタンは、その押下により、親展プリントジョブを実行するための親展プリント制御画面にジャンプするボタンである。例えば、図５に示すような操作画面３０が表示手段１４に表示される。ある指に対応付けられた操作画面３０は、親展プリントジョブがある旨のメッセージ３１と、親展プリントショートカットボタン３２とを有し、等倍で１枚のプリントにカスタマイズされている。また、操作画面３０は、プリント実行のスタートボタンを含む。
【００６８】
親展プリントジョブがない場合（ステップＳ２９；ＮＯ）、ＨＤＤ１５に記憶された設定情報の操作画面カスタマイズ情報及び入力指識別情報と、ステップＳ２８において特定された入力指の情報とに基づいて、認証された入力指に対応する操作画面がカスタマイズされ、当該操作画面が表示手段１４に表示され（ステップＳ３１）、操作画面表示処理が終了される。例えば、図６に示すような操作画面４０，５０が表示手段１４に表示される。右手人差し指に対応付けられた操作画面４０は、等倍プリントで１枚のプリントにカスタマイズされている。右手親指に対応付けられた操作画面５０は、４枚分の縮小画像を１枚の記録用紙に印刷する４ｉｎ１で両面且つ６枚同時プリントにカスタマイズされている。また、操作画面４０，５０はコピーが可能である旨のボタンと、プリントジョブのスタートボタンとを含む。
【００６９】
操作画面表示処理終了後、ユーザは、表示手段１４に表示された各種操作画面に基づいて、操作手段１２を介して各種操作を行う。
【００７０】
次いで、図７〜図９を参照して、ＭＦＰ１００において実行される親展プリントジョブ実行処理を説明する。親展プリントジョブ実行処理は、ジョブ実行制限フラグがオンされ、且つ親展プリントジョブがある場合の、入力指に対応する操作画面の表示（操作画面表示処理のステップＳ３０）に対応して、その親展プリントジョブを実行する処理である。ＭＦＰ１００において、ユーザにより操作手段１２を介して親展プリントショートカットボタンが押下されたことをトリガとして、ＨＤＤ１５又はローカルメモリ１７から読み出されてＲＡＭ１３に格納された親展プリントジョブ実行プログラムと、ＣＰＵ１１との協働により、親展プリントジョブ実行処理が実行される。
【００７１】
先ず、ＨＤＤ１５に記憶された繰り返し認証フラグがオンされているか否かが判別される（ステップＳ４０）。繰り返し認証フラグがオフされている場合（ステップＳ４０；ＮＯ）、親展プリントジョブ実行の旨が表示手段１４に表示されるとともに、プリント手段２１により親展プリントジョブが実行される（ステップＳ４１）。
【００７２】
そして、親展プリントジョブ実行の履歴データが作成されてＨＤＤ１５又はローカルメモリ１７に記憶され（ステップＳ４２）、親展プリントジョブ実行処理が終了される。記憶する履歴データには、後述する、認証失敗による親展プリントジョブ実行中断に関する履歴データを含む。このように、履歴データを記憶しておくことで、親展プリントジョブ実行の管理を容易にし、セキュリティを高めることができる。また、記憶する履歴データには、セキュリティをさらに高めるため、後述する、認証失敗以外の要因（記録用紙がなくなったことやジャム発生など）による親展プリントジョブ実行中断に関する履歴データを含むことが好ましい。
【００７３】
繰り返し認証フラグがオンされている場合（ステップＳ４０；ＹＥＳ）、親展プリントジョブが実行開始され、親展プリント制御画面が表示手段１４に表示されるとともに、計時手段２２によりタイマがスタートされる（ステップＳ４３）。このタイマは、親展プリントジョブ実行中に指紋による個人認証を繰り返し実行するにあたり、指紋による個人認証が成功していない時間をカウントするものである。また、ステップＳ４３において表示される親展プリント制御画面は、例えば、図８に示す親展プリント制御画面６０に示すように、左手親指を指紋センサ１６に置くことを促すメッセージ６１と、親展プリント（ジョブ）を実行中であることを示すメッセージ６２と、を含む。
【００７４】
そして、プリント手段２１において、親展プリントジョブが完了されたか否かが判別される（ステップＳ４４）。親展プリントジョブが完了された場合（ステップＳ４４；ＹＥＳ）、ステップＳ４２に移行される。親展プリントジョブが完了していない場合（ステップＳ４４；ＮＯ）、計時手段２２によりカウントされているタイマのカウント時間が第１の所定時間を経過したか否かが判別される（ステップＳ４５）。タイマのカウント時間としての指紋認証が成功していない時間が長いと、認証されたユーザがＭＦＰ１００前にいないものと推定され、第三者に印刷物を見られたり盗まれたりする危険性がある。このような危険性を防ぐため、第１の所定時間は、親展プリントジョブを強制的に実行中断させるための時間として予め設定される。
【００７５】
タイマのカウント時間が第１の所定時間を経過していない場合（ステップＳ４５；ＮＯ）、タイマのカウント時間が第２の所定時間を経過したか否かが判別される（ステップＳ４６）。タイマが第１の所定時間を経過する前に、ユーザに指紋認証を促す。このため、第２の所定時間は、ユーザに指紋認証を促す警告表示をさせるための時間として予め設定される。また、第２の所定時間＜第１の所定時間である。また、第１の所定時間及び第２の所定時間は、管理者の操作入力により、変更設定できる構成としてもよい。
【００７６】
さらに、指紋センサ１６がスイープ式である場合に、第１の所定時間及び第２の所定時間は、指紋センサ１６が指を置くタイプの場合よりも長くするのが好ましい。指紋センサ１６がスイープ式である場合に、指紋入力を頻繁に行わせると、ユーザの指紋入力操作が煩雑になるからである。例えば、第１の所定時間を１５秒とし、親展プリント制御画面に、「１０秒に１回以上指紋を読み込ませてください」を表示手段１４に表示させることとしてもよい。
【００７７】
タイマのカウント時間が第２の所定時間を経過した場合（ステップＳ４６；ＹＥＳ）、ユーザに指紋認証を促す警告が表示手段１４に表示される（ステップＳ４７）。警告とは、例えば、「Ｘ秒以内に指紋入力がない場合、プリントを中断します」などの内容である。Ｘ秒とは、第１の所定時間までの残り時間である。また、この警告表示は、例えば、第１の所定時間までの残り時間をカウントダウンしていくものとしてもよい。
【００７８】
そして、ユーザの入力指の指紋が指紋センサ１６から入力されてその指紋データが取得され、又は指紋データが取得されず、その取得された場合の指紋データと、ＨＤＤ１５に記憶された設定情報中の指紋データ及び個人情報とに基づいて、第２の個人認証が行われる（ステップＳ４８）。具体的には、第１の個人認証と同様に、入力された指紋データと、設定情報中の各指紋データとの類似度が、第２の閾値以上である指紋データがある場合に個人認証が成功し、第２の閾値以上である指紋データがない場合に個人認証が失敗する。
【００７９】
また、第２の個人認証は、第１の個人認証後の個人認証であり、第２の閾値が第１の閾値に比べて、個人認証が成功し易いように設定される。例えば、図４に示すように、第２の閾値として、他人との比較の分布に近い類似度の閾値ａ２が設定される。第２の閾値を個人認証が成功し易いように設定するのは、指紋センサ１６が指を置くタイプである場合、親展プリントジョブ実行中に、ユーザが指紋センサ１６に指を絶えず置いておくと、指紋画像が悪くなっていくためである。また、ユーザが指紋センサ１６に繰り返し指紋を入力させると、時間経過により、ユーザの指紋入力が最初ほど正確に行われなないおそれがあるからである。
【００８０】
そして、第２の個人認証が成功したか否かが判別される（ステップＳ４９）。第２の個人認証が成功した場合（ステップＳ４９；ＹＥＳ）、計時手段２２にカウントされるタイマのカウント時間がリセットされ（ステップＳ５０）、ステップＳ４４に移行される。タイマは、リセット後に再びカウント開始される。第２の個人認証が成功していない場合（ステップＳ４９；ＮＯ）、ステップＳ４４に移行される。
【００８１】
タイマのカウント時間が第１の所定時間を経過した場合（ステップＳ４５；ＹＥＳ）、プリント手段２１において実行中の親展プリントジョブが実行中断され、その親展プリントジョブの全データと、中断した箇所を示す中断状態情報とがＨＤＤ１５に記憶される（ステップＳ５１）。例えば、ユーザが急用によりＭＦＰ１００の前をしばらく離れる場合などに、ステップＳ５１に移行される。この中断した親展プリントジョブは、ペンディング状態となり、後述するように実行再開が可能である。そして、親展プリントジョブ実行再開処理が実行され（ステップＳ５２）、ステップＳ４４に移行される。
【００８２】
ここで、図９を参照して、ステップＳ５２の親展プリントジョブ実行再開処理を説明する。図９に示すように、先ず、親展プリントジョブの再開方法として、親展プリントジョブの中断の続きから実行再開することと、最初から実行再開することのいずれか１つを選択するための選択ボタンが表示手段１４に表示される（ステップＳ５２１）。
【００８３】
そして、ユーザにより操作手段１２を介して、上記選択ボタンの押下と、親展プリントジョブを再開しない旨の入力とのいずれか１つが入力される（ステップＳ５２２）。そして、ステップＳ５２２における操作内容が何であるかが判別される（ステップＳ５２３）。操作入力されていない場合（ステップＳ５２３；無）、ステップＳ５２２に移行される。操作内容が親展プリントジョブの終了である場合（ステップＳ５２３；終了）、ステップＳ４２に移行される。
【００８４】
操作内容が親展プリントジョブの実行再開である場合（ステップＳ５２３；再開）、ステップＳ５２４，Ｓ５２５，Ｓ５２６が実行される。ステップＳ５２４，Ｓ５２５，Ｓ５２６は、図３に示すステップＳ２１，Ｓ２２，Ｓ２３と同様である。このように、親展プリントジョブ再開時に個人認証を行うことで、第三者に親展プリントジョブを再開される事を防ぎ、親展プリントジョブ再開のセキュリティを高めることができる。また、ステップＳ５２５では、第２の個人認証を行うこととしてもよい。
【００８５】
第１の個人認証が失敗した場合（ステップＳ５２６；ＮＯ）、ステップＳ５２２に移行される。第１の個人認証が成功した場合（ステップＳ５２６；ＹＥＳ）、ステップＳ５２２における操作内容に基づいて、親展プリントジョブを中断状態の続きから実行再開するか否かが判別される（ステップＳ５２７）。親展プリントジョブを続きから実行再開する場合（ステップＳ５２７；ＹＥＳ）、ＨＤＤ１５に記憶されている親展プリントジョブのデータと、中断状態情報とが読み出されて、その中断した箇所の続きから、親展プリントジョブが実行再開され、計時手段２２によりタイマがカウント開始され（ステップＳ５２８）、親展プリントジョブ実行再開処理が終了され、ステップＳ４４に移行される。親展プリントジョブを続きから実行再開しない場合（ステップＳ５２７；ＮＯ）、親展プリントジョブを最初から実行するので、ステップＳ４３に移行される。
【００８６】
親展プリントジョブ実行処理においては、親展プリントジョブの繰り返し認証で個人認証が失敗した場合に、親展プリントジョブ実行を中断させているが、認証失敗以外の理由で機械（ＭＦＰ１００）が停止している場合には、繰り返し認証を行わないことが好ましい。例えば、記録用紙が無くなったり、ジャムの発生などにより、機械が停止した場合に、繰り返し認証を行うと、ユーザの記録用紙補充作業や記録用紙除去作業を行っている間に、親展プリントジョブが中断されて不便であるためである。また、認証失敗以外の理由で機械が停止していた後に、親展プリントジョブ実行が再開された場合にも、指紋により個人認証することがセキュリティ保護のため好ましい。
【００８７】
以上、本実施の形態によれば、指紋データに基づいて個人認証し、個人認証の結果と、認証された個人（ユーザ）の個人情報と、認証された個人に宛てた親展プリントジョブの有無とに応じて、適切な操作画面を選択して表示手段１４に表示させるので、その操作画面により操作性を高めて親展プリントジョブ及びその他の画像出力ジョブを容易に実行できる。
【００８８】
また、親展プリントジョブがある場合に、親展プリントジョブがある旨の表示と、親展プリント制御画面へのショートカットボタンとを表示手段１４に表示するので、操作性を高めて親展プリントジョブを容易に実行できる。
【００８９】
また、指紋データに基づいて個人認証するので、容易かつ安全に個人認証を行うことができるとともに、操作性を高めることができる。
【００９０】
また、指紋データに基づいて個人の入力指を認証し、認証された入力指の情報に基づいて、複数の操作画面から適切な１つの選択画面を選択して表示するので、各入力指に対応する操作画面により、さらに操作性を高めることができる。
【００９１】
また、ジョブ実行制限フラグのオン／オフにより、親展プリントジョブ実行前の個人認証が失敗した場合に親展プリントジョブを実行制限させるか否かを選択でき、その選択に応じて親展プリントジョブを実行又は実行中止させるので、親展プリントのセキュリティを確保しつつ、操作性を高めることができる。
【００９２】
また、親展プリントジョブの実行中に、指紋データに基づいて個人認証し、当該個人認証の結果に応じて、前記画像出力ジョブの実行継続又は中断を判別し、その判別結果に基づいて当該画像出力ジョブを実行継続又は中断させる。具体的には、親展プリントジョブの実行中に個人認証を繰り返し行い、その個人認証が失敗した場合に、親展プリントジョブを実行中断させるので、親展プリントジョブ実行中の親展プリントのセキュリティを高めることができる。例えば、認証された個人が画像形成装置の前を離れた場合に、第三者に全ての親展プリント物を見られたり盗まれたりすることを防ぐことができる。
【００９３】
また、親展プリントジョブを実行開始させる前に、指紋データに基づいて個人認証し、当該個人認証の結果に基づいて、親展プリントジョブ実行開始又は中止を判別し、その判別結果に基づいて親展プリントジョブを実行開始又は中止させるので、親展プリントジョブ実行開始の親展プリントのセキュリティを高めることができる。
【００９４】
また、第２の個人認証における指紋データの類似度の閾値を、第１の個人認証における閾値よりも大きく設定し、親展プリントジョブの実行開始時の個人認証に比べて、親展プリントジョブを繰り返し実行させている間の個人認証を成功し易くさせるので、ユーザがが親展プリントジョブの実行中の指紋データの入力を容易に行うことができ、個人認証の失敗の多発を防ぐことができる。
【００９５】
また、繰り返し認証フラグのオン／オフにより、親展プリントジョブ実行中の個人認証を繰り返し行うか否かを選択できるので、親展プリントのセキュリティを高めるか、操作性を高めるかを選択して設定できる。
【００９６】
また、親展プリントジョブを実行中断する場合に、親展プリントジョブをその中断状態情報とともに記憶させ、その親展プリントジョブ実行を再開する場合に、表示手段１４に表示された再開方法選択ボタンの押下により、中断状態の続きから親展プリントジョブの実行を再開するか又は最初から再開するかを選択できるので、親展プリントジョブの実行再開時の操作性を高めるとともに、無駄なプリント操作を防ぐことができる。
【００９７】
なお、上記実施の形態においては、個人識別情報取得手段として指紋センサ１６を用いて、指紋データによる個人認証を行う構成としたが、これに限定されるものではない。例えば、パスワード入力による認証、サイン（筆跡）入力による認証、虹彩認証、網膜認証、顔認証、ＩＣカードなどのハードウェアを用いる認証、などの個人認証方式を用いる構成としてもよい。加えて、指紋データなど、デフォルトの個人認証が失敗した場合に、他の個人認証方式で個人認証をやり直すことができる構成としてもよい。例えば、デフォルトで諮問データによる個人認証方式を行う場合、ユーザの手が乾燥していると、正当なユーザであっても認証が成功しないケースがあり、このような場合に有効である。
【００９８】
また、上記実施の形態においては、親展プリントジョブの実行中に、時間的に繰り返し第２の個人認証を行う構成としたが、これに限定されるものではない。例えば、親展プリントジョブの各ページごと、又は所定数のページごとに、第２の個人認証を行う構成としてもよい。第２の個人認証は、プリントのジャムが発生しない頻度で行うことが好ましい。
【００９９】
また、上記実施の形態で用いたジョブ実行制限フラグ、繰り返し認証フラグは、ジョブ別、個人別、使用時間別などに設定可能な構成としてもよい。例えば、親展プリントジョブ別に繰り返し認証フラグをさせる場合に、親展プリントジョブのセキュリティを少なくとも２段階に設定し、親展プリントジョブに設定されるセキュリティが高い場合に、繰り返し認証フラグがオンに設定され、親展プリントジョブに設定されるセキュリティが低い場合に、繰り返し認証フラグがオフに設定される構成としてもよい。この場合、親展プリントジョブのセキュリティ設定の度合いに応じて認証頻度を変更できるので、親展プリントのセキュリティを確保できるとともに操作性を高めることができる。
【０１００】
また、上記実施の形態における記述は、本発明に係る画像形成装置の一例を示すものであるが、これに限定されるものではなく、本発明の主旨を逸脱しない範囲で適宜変更可能である。
【図面の簡単な説明】
【０１０１】
【図１】本発明に係る実施の形態のＭＦＰ１００の構成を示す図である。
【図２】設定処理を示すフローチャートである。
【図３】操作画面表示処理を示すフローチャートである。
【図４】指紋での個人認証における類似度の分布を示す図である。
【図５】親展プリントジョブがある場合の操作画面３０の構成を示す図である。
【図６】入力指に対応する操作画面の構成を示す図である。（ａ）は操作画面４０の構成を示す図である。（ｂ）は操作画面５０の構成を示す図である。
【図７】親展プリントジョブ実行処理を示すフローチャートである。
【図８】親展プリント制御画面６０の構成を示す図である。
【図９】親展プリントジョブ実行処理中の親展プリントジョブ実行再開処理を示すフローチャートである。
【符号の説明】
【０１０２】
１００  ＭＦＰ
１１  ＣＰＵ
１１１  制御手段
１２  操作手段
１３  ＲＡＭ
１４  表示手段
１５  ＨＤＤ
１６  指紋センサ
１９  通信手段
２０  スキャナ手段
２１  プリント手段
２２  計時手段
２３  バス
２００  ＰＣ
Ｎ  通信ネットワーク
【図１】
2005342939.tif 000003
【図２】
2005342939.tif 000004
【図３】
2005342939.tif 000005
【図４】
2005342939.tif 000006
【図５】
2005342939.tif 000007
【図６】
2005342939.tif 000008
【図７】
2005342939.tif 000009
【図８】
2005342939.tif 000010
【図９】
2005342939.tif 000011